(57)【要約】【課題】鳴動スピーカを音源レベルに応じて動的に切り替えて、スピーカ駆動用アンプの消費電力を低減すること。【解決手段】本発明の電子機器は、音源からの音信号を外部へ音として出力する複数のスピーカと、前記音源の音信号のレベルを判定するレベル判定部と、前記レベル判定部の判定結果に基づいて、外部へ音を出力するスピーカを切り替える切り替え部と、を備える電子機器であって、前記切り替え部は、前記レベル判定部が前記音信号のレベルが所定値以下であると判定した場合には、前記複数のスピーカのうち、一のスピーカに前記外部へ音を出力するスピーカを切り替える。【選択図】図１
2012129952.tif 000002
【特許請求の範囲】
【請求項１】
音源からの音信号を外部へ音として出力する複数のスピーカと、
前記音源の音信号のレベルを判定するレベル判定部と、
前記レベル判定部の判定結果に基づいて、外部へ音を出力するスピーカを切り替える切り替え部と、を備える電子機器であって、
前記切り替え部は、
前記レベル判定部が前記音信号のレベルが所定値以下であると判定した場合には、前記複数のスピーカのうち、一のスピーカに前記外部へ音を出力するスピーカを切り替える、
ことを特徴とする電子機器。
【請求項２】
請求項１に記載の電子機器は、更に、
少なくとも 前記一のスピーカに対して、前記音源からの音信号を増幅して出力するアンプを備え、
前記アンプは、前記レベル判定部が前記音信号のレベルが所定値以下であると判定した場合、前記音信号を増幅して前記一のスピーカに出力する、
ことを特徴とする電子機器。
【請求項３】
請求項１又は２に記載の電子機器は、更に、
前記複数のスピーカの温度を検出する複数の温度検知部を備え、
前記切り替え部は、前記一のスピーカの温度が他のスピーカの温度よりも高い場合に、前記音声が前記他のスピーカから出力されるよう、前記外部へ音を出力するスピーカを切り替える、
ことを特徴とする電子機器。
【請求項４】
請求項３に記載の電子機器において、
前記切り替え部は、
前記温度判定部が前記一のスピーカおよび前記他のスピーカの温度が所定値より大きいと判定した場合には、前記レベル判定部の判定結果に依らず、前記一のスピーカおよび前記他のスピーカから外部へ音が出力されるよう、前記外部へ音を出力するスピーカを切り替える、
ことを特徴とする電子機器。
【請求項５】
音源であるステレオ音源からの音信号を外部へ音として出力する複数のスピーカと、
前記複数のスピーカに接続され、前記ステレオ音源からモノラル音源を生成可能なモノラル混合器と、
前記モノラル混合器及び前記ステレオ音源と前記複数のスピーカとの接続を切り替えるスイッチと、
ステレオモードで前記複数のスピーカから音を外部へ出力するか、又はモノラルモードで前記複数のスピーカから音を外部へ出力するかを指示するモード指示部と、
前記音源の音信号のレベルを判定するレベル判定部と、
前記モード指示部の指示と、前記レベル判定部の判定結果とに基づいて、前記スイッチを制御することで外部へ音を出力するスピーカを切り替える切り替え部と、を備え、
前記切り替え部は、
前記モード指示部が前記モノラルモードと指示し、前記レベル判定部が前記音信号のレベルが所定値以下であると判定した場合には、
前記スイッチが前記ステレオ音源と前記複数のスピーカとの接続を断ち、かつ前記モノラル混合器と前記複数のスピーカのうち一のスピーカとを接続するよう制御し、当該一のスピーカに前記外部へ音を出力するスピーカを切り替える、
ことを特徴とする電子機器。
【発明の詳細な説明】
【技術分野】
【０００１】
本発明は、複数のスピーカから鳴動するスピーカを選択的に切り替える電子機器に関する。
【背景技術】
【０００２】
特許文献１に開示されている携帯電話機では、挿入イヤホンによって音がステレオ又はモノラルであるかを自動判別し、モノラルイヤホン時に不要となる片側チャンネルのイヤホン駆動回路をパワーダウンして、消費電力を削減している。また、特許文献２に開示されている技術では、スピーカ等を駆動するアンプの電源電圧が低下した場合には、アンプの駆動停止を防止するため供給電流を制限する。また電源電圧に応じてゲイン補正、ステレオ・モノラルの切り替えを行い、特にモノラル再生の場合には、１つのスピーカ分のチャンネルしか使わない。また、特許文献３では、ディジタル交換機を使用した電話会議システムにおいて、複数地点から同時に送話信号が入力された場合、各信号レベルの大きさを比較し、最もレベルの大きい信号のみ、または上位２〜３番目までの送話信号を合成し、各地点へ受話信号として送出する技術が開示されている。
【先行技術文献】
【特許文献】
【０００３】
【特許文献１】特開２００１−３３３１７６号公報
【特許文献２】特開２００９−９４６８４号公報
【特許文献３】特開昭６０−２２３３６９号公報
【発明の概要】
【発明が解決しようとする課題】
【０００４】
しかし、ステレオスピーカ搭載の小型電子機器である携帯電話機では、ステレオスピーカが近接した位置に配置されていることが多い。そのため、特に音源レベルが低い場合には、どちらのスピーカが鳴動しているのかユーザは区別がつかない場合がある。しかし、従来の携帯電話機では、このような場合であっても両方のチャンネルを同時に鳴動させていたため、複数チャンネル分の電力が消費されていた。また、上記特許文献１〜３では、スピーカ周辺の状況に応じて駆動させる回路を制限する技術や、音声のレベルに応じて信号を取捨選択する技術を開示しているが、音源レベルが低い場合には必要以上に電力が消費されてしまう恐れがあることまでは開示されていない。
【０００５】
本発明の目的は、鳴動スピーカを音源レベルに応じて動的に切り替えて、消費電力を低減できる電子機器を提供することである。
【課題を解決するための手段】
【０００６】
本発明は、音源からの音信号を外部へ音として出力する複数のスピーカと、前記音源の音信号のレベルを判定するレベル判定部と、前記レベル判定部の判定結果に基づいて、外部へ音を出力するスピーカを切り替える切り替え部と、を備える電子機器であって、前記切り替え部は、前記レベル判定部が前記音信号のレベルが所定値以下であると判定した場合には、前記複数のスピーカのうち、一のスピーカに前記外部へ音を出力するスピーカを切り替える電子機器を提供する。
【０００７】
上記構成によれば 、一のスピーカ以外の１以上のスピーカ に接続されているチャンネルにおける消費電力を低減することができる。
【０００８】
上記電子機器は、更に、少なくとも前記一のスピーカに対して、前記音源からの音信号を増幅して出力するアンプを備え、前記アンプは、前記レベル判定部が前記音信号のレベルが所定値以下であると判定した場合、前記音信号を増幅して前記一のスピーカに出力する。
【０００９】
上記構成によれば、特に音源レベルが小さい場合に一のスピーカからしか音を出さない場合に、音声を増幅した上でその一のスピーカから出力するので、音声を出力するスピーカが減ることによる音量の低下を抑制することができる。
【００１０】
上記電子機器では、更に、前記複数のスピーカの温度を検出する複数の温度検知部を備え、前記切り替え部は、前記一のスピーカの温度が他のスピーカの温度よりも高い場合に、前記音声が前記他のスピーカから出力されるよう、前記外部へ音を出力するスピーカを切り替える。
【００１１】
上記構成によれば、各スピーカの温度を平準化することができるので、特定のスピーカのみが大きく発熱してしまうことを防止することができる。
【００１２】
上記電子機器において、前記切り替え部は、前記温度判定部が前記一のスピーカおよび前記他のスピーカの温度が所定値より大きいと判定した場合には、前記レベル判定部の判定結果に依らず、前記一のスピーカおよび前記他のスピーカから外部へ音が出力されるよう、前記外部へ音を出力するスピーカを切り替える。
【００１３】
上記構成によれば、複数のスピーカが等しく高温になっている場合には、音声の出力を複数のスピーカに分散するので、電子機器全体の発熱を抑制することができる。
【００１４】
また、本発明は、音源であるステレオ音源からの音信号を外部へ音として出力する複数のスピーカと、前記複数のスピーカに接続され、前記ステレオ音源からモノラル音源を生成可能なモノラル混合器と、前記モノラル混合器及び前記ステレオ音源と前記複数のスピーカとの接続を切り替えるスイッチと、ステレオモードで前記複数のスピーカから音を外部へ出力するか、又はモノラルモードで前記複数のスピーカから音を外部へ出力するかを指示するモード指示部と、前記音源の音信号のレベルを判定するレベル判定部と、前記モード指示部の指示と、前記レベル判定部の判定結果とに基づいて、前記スイッチを制御することで外部へ音を出力するスピーカを切り替える切り替え部と、を備え、前記切り替え部は、前記モード指示部が前記モノラルモードと指示し、前記レベル判定部が前記音信号のレベルが所定値以下であると判定した場合には、前記スイッチが前記ステレオ音源と前記複数のスピーカとの接続を断ち、かつ前記モノラル混合器と前記複数のスピーカのうち一のスピーカとを接続するよう制御し、当該一のスピーカに前記外部へ音を出力するスピーカを切り替える。
【００１５】
上記構成によれば、ステレオ音源鳴動時においても、音声を正確に再現しつつ、スピーカの消費電力を低減できる。
【発明の効果】
【００１６】
本発明に係る電子機器によれば、鳴動させるスピーカを音源レベルに応じて動的に切り替えるので、そのスピーカ以外のスピーカに接続されているチャンネルにおける消費電力を低減できる。
【図面の簡単な説明】
【００１７】
【図１】実施の形態１の音出力装置１００の構成を示すブロック図
【図２】スピーカ切替部１０９の動作を説明するための図
【図３】実施の形態２の音出力装置３００の構成を示すブロック図
【図４】スピーカ切替部３０９の動作を説明するための図
【図５】実施の形態３の音出力装置５００の構成を示すブロック図
【図６】（ａ）、（ｂ）はスピーカ切替部５０９の動作を説明するための図
【図７】スピーカの消費電力低減効果を説明するための図（１）
【図８】スピーカの消費電力低減効果を説明するための図（２）
【図９】携帯電話機１０の斜視図（１）
【図１０】携帯電話機１０の斜視図（２）
【発明を実施するための形態】
【００１８】
以下、本発明の実施形態について、図面を参照して説明する。
【００１９】
（実施の形態１）
図１〜図２を参照して、実施の形態１に係る音出力装置１００について説明する。図１は、実施の形態１の音出力装置１００の構成を示すブロック図である。図１に示すように、実施の形態１の音出力装置１００は、音源１０１と、バッファ１０３と、Ｄ／Ａ変換器１０５と、レベル判定部１０７と、スピーカ切替部１０９と、第１アンプ１１１と、第２アンプ１１３と、第１スピーカ１１５と、第２スピーカ１１７と、を備える。
【００２０】
音源１０１から出力されたモノラル音源の音信号は、バッファ１０３で蓄積される。
【００２１】
バッファ１０３は、音源１０１とＤ／Ａ変換器１０５との間に設けられている。バッファ１０３は、音源１０１からの音信号を入力とし、蓄積した音信号をＤ／Ａ変換器１０５に順次出力する。バッファ１０３は、音源１０１からの音信号を蓄積して、第１スピーカ１１５又は第２スピーカ１１７から音として出力するまでの時間を遅延させる。そのため、本実施の形態では、後述するレベル判定部１０７の判定及びスピーカ切替部１０９の制御を行うための時間を確保することができる。
【００２２】
Ｄ／Ａ変換器１０５は、バッファ１０３と第１アンプ１１１及び第２アンプ１１３との間に設けられている。Ｄ／Ａ変換器１０５は、バッファ１０３から出力された音信号をデジタル信号からアナログ信号に変換する。Ｄ／Ａ変換器１０５でアナログ信号に変換された音信号は、第１アンプ１１１及び第２アンプ１１３に出力される。
【００２３】
第１アンプ１１１は、Ｄ／Ａ変換器１０５と第１スピーカ１１５との間に設けられている。同様に、第２アンプ１１３は、Ｄ／Ａ変換器１０５と第２スピーカ１１７との間に設けられている。なお、第１アンプ１１１、第２アンプ１１３への電力は図示しないが音出力装置１００の電源から供給され、第１スピーカ１１５、第２スピーカ１１７の駆動源にも用いられる。
【００２４】
第１アンプ１１１は、後述するスピーカ切替部１０９の切替制御に基づき、ＯＮ／ＯＦＦの切り替え、およびゲイン［ｄＢ］の設定が実行される。つまり、スピーカ切替部１０９が第１アンプ１１１をＯＮにし、所定のゲインでＤ／Ａ変換器１０５から出力された音信号の電力を増幅する。そして、第１アンプ１１１により電力を増幅された音信号は、所定のゲインで第１スピーカ１１５に出力される。一方、スピーカ切替部１０９が第１アンプ１１１をＯＦＦにすると、第１アンプ１１１はＤ／Ａ変換器１０５から出力された音信号を第１スピーカ１１５へ出力しない。なお、第１アンプ１１１には、たとえば、Ｃｌａｓｓ−ＡＢ、Ｃｌａｓｓ−Ｄのアンプが適用可能である。
【００２５】
第２アンプ１１３は、第１アンプ１１１と同様、後述するスピーカ切替部１０９の切替制御に基づき、ＯＮ／ＯＦＦの切り替え、およびゲイン［ｄＢ］の設定が実行される。つまり、スピーカ切替部１０９が第２アンプ１１３をＯＮにし、所定のゲインでＤ／Ａ変換器１０５から出力された音信号の電力を増幅する。そして、第２アンプ１１３により電力を増幅された音信号は、所定のゲインで第２スピーカ１１７に出力される。一方、スピーカ切替部１０９が第２アンプ１１３をＯＦＦにすると、第２アンプ１１３はＤ／Ａ変換器１０５から出力された音信号を第２スピーカ１１７へ出力しない。なお、第２アンプ１１３には、たとえば、Ｃｌａｓｓ−ＡＢ、Ｃｌａｓｓ−Ｄのアンプが適用可能である。
【００２６】
レベル判定部１０７は、音源１０１とスピーカ切替部１０９との間に設けられる。レベル判定部１０７は、音源１０１から出力されるモノラル音源の音信号を入力として、その音信号のレベルがある閾値以下であるか否かを判定する。そして、レベル判定部１０７は、その判定結果をスピーカ切替部１０９へ出力する。
【００２７】
スピーカ切替部１０９は、レベル判定部１０７の判定結果に基づき、第１アンプ１１１及び第２アンプ１１３のＯＮ／ＯＦＦの切替、並びに第１アンプ１１１及び第２アンプ１１３のゲインの設定を行う。
【００２８】
図２を参照し、スピーカ切替部１０９の動作を説明する。図２に示すように、スピーカ切替部１０９は、レベル判定部１０７が音源１０１から出力される音信号のレベルがある閾値以下であると判定した場合には、第１アンプ１１１をＯＮにして、そのゲインを＋６［ｄＢ］に設定し、第２アンプ１１３をＯＦＦにする。また、スピーカ切替部１０９は、レベル判定部１０７が音源１０１から出力される音信号のレベルがある閾値より大きいと判定した場合には、第１アンプ１１１および第２アンプ１１３共にＯＮにし、そのゲインは０［ｄＢ］とする。
【００２９】
本実施の形態では、スピーカ切替部１０９の動作により、レベル判定部１０７が音源１０１から出力される音信号のレベルがある閾値以下であると判定した場合には、音源レベルが増幅された音信号が、ＯＮとなった第１アンプ１１１から第１スピーカ１１５に出力されて外部に音として出力される一方、ＯＦＦとなった第２アンプ１１３から第２スピーカ１１７へは音信号が出力されないので、第２スピーカ１１７からは外部に音が出力されない。そのため、本実施の形態に係る音出力装置１００は、音を出力しない第２スピーカ１１７の消費電力の低減、及び第２スピーカ１１７の鳴動による温度上昇の抑制を可能とする。
【００３０】
特に音源１０１から出力される音信号のレベルが小さい場合には、第１スピーカ１１５からしか音が出なくても、ユーザが受ける音の印象はほとんど変わらない。したがって、音出力装置１００は、ユーザの受ける音の印象をほとんど変えずに、第２スピーカ１１７の消費電力の低減、及び第２スピーカ１１７の鳴動による温度上昇の抑制を可能とする。
【００３１】
なお、単純に一方のスピーカをＯＦＦにしてしまうと、ユーザに届く音の音量も１／２程度となってしまう。そのため、第１アンプ１１１によって音信号を増幅することにより、両方のスピーカを鳴動させる場合と比べて極端に音が小さく聞こえてしまうことを防いでいる。
【００３２】
なお、本実施の形態および後述する各実施の形態では、一方のチャンネルのみを動作させる場合のアンプによる増幅量を＋６［ｄＢ］と設定しているが、これに限られるものではない。例えば、一方のチャンネルのみを動作させる場合の音量を減らしても構わなければ、より少ない増幅量に設定することで更に消費電力を削減することができる。
【００３３】
第１スピーカ１１５は、第１アンプ１１１により電力を増幅された音信号を音に変換し外部へ出力する。また、第２スピーカ１１７は、第１スピーカ１１５と同様、第２アンプ１１３により電力を増幅された音信号を音に変換し外部へ出力する。
【００３４】
ここで、本実施の形態において、第１スピーカ１１５と第２スピーカ１１７とは、いずれか一方のスピーカから音が出力されたとしても、ユーザの受ける音の印象がほとんど変わらない程度しか離れていない位置に設けられている。そのため音出力装置１００は、特に小型の電子機器、例えば携帯電話機に好適である。
【００３５】
上述のように本実施の形態に係る電子機器の一例として、音出力装置１００は、特に音源レベルが小さい場合に第１スピーカ１１５と第２スピーカ１１７のいずれか一方のスピーカからしか音が出なくても、ユーザが受ける音の印象はほとんど変わらない。したがって、音出力装置１００は、音を出力しないスピーカの消費電力の低減、及びスピーカの鳴動による温度上昇の抑制を可能とする。
【００３６】
なお、音源１０１として、モノラル音源を例にとって説明したが、これに限らない。本実施の形態は、音源１０１がステレオ音源でも適用可能である。
【００３７】
また、 レベル判定部１０７による判定に用いられる閾値は、主にアンプの特性に応じて決定される。すなわち、一方のチャンネルを停止することによって削減される電力が、停止しない方のチャンネルのアンプにて音源レベルを増幅することによって増加する電力を上回る場合には、一方のチャンネルを停止することによる消費電力の削減効果が得られると推測される。しかし、アンプでの消費電力は、アンプへの入力段の音源レベルが高くなると急激に増加する傾向があるため、音源レベルが大きくなると、むしろ２つのチャンネルを動作させる方が、全体としての消費電力が少なくなる。
【００３８】
したがって、ユーザに与える印象の差異に加え、消費電力の観点からも音源レベルの高低に応じて、アンプによる増幅を行った上で１チャンネルのみを動作させるのか、２チャンネルとも動作させるのかを切り替えることが望ましい。
【００３９】
なお、上述した閾値の考え方は、本実施の形態のみならず後述する各実施の形態でも基本的には同様である。ただし、後述する各実施の形態では、本実施の形態よりも更に回路が複雑になっているため、アンプの特性のみからでは正確な閾値は決定しにくい。したがって、より正確に閾値を特定したい場合には、それぞれの状態での消費電力を実験により計測し、その結果に基づいて閾値を決定することが望ましい。
【００４０】
なお、本実施の形態の場合でも、実験によって閾値を決定するとしてもよいことは言うまでもない。
【００４１】
（実施の形態２）
図３〜図４を参照して、実施の形態２に係る音出力装置３００について説明する。図３は、実施の形態２の音出力装置３００の構成を示すブロック図である。図３に示すように、実施の形態２の音出力装置３００は、音源１０１と、バッファ１０３と、Ｄ／Ａ変換器１０５と、レベル判定部１０７と、スピーカ切替部３０９と、第１アンプ１１１と、第２アンプ１１３と、第１スピーカ１１５と、第２スピーカ１１７と、温度判定部３０１と、第１サーミスタ３０３Ａと、第２サーミスタ３０３Ｂと、を備える。
【００４２】
実施の形態２の音出力装置３００が実施の形態１の音出力装置１００と異なる点は、（１）スピーカ切替部３０９の動作、（２）温度判定部３０１、第１サーミスタ３０３Ａ、第２サーミスタ３０３Ｂが新たに構成要件として追加されている点である。これらの点以外は実施の形態１と同様であり、図３において、図１と共通する構成要素には同じ参照符号が付されている。
【００４３】
音源１０１から出力されたモノラル音源の音信号は、バッファ１０３で蓄積される。
【００４４】
バッファ１０３は、音源１０１とＤ／Ａ変換器１０５との間に設けられている。バッファ１０３は、音源１０１からの音信号を入力とし、蓄積した音信号をＤ／Ａ変換器１０５に順次出力する。バッファ１０３は、音源１０１からの音信号を蓄積して、第１スピーカ１１５又は第２スピーカ１１７から音として出力するまでの時間を遅延させる。そのため、本実施の形態では、後述するレベル判定部１０７の判定、温度判定部３０１、ならびにスピーカ切替部３０９の制御を行うための時間を確保することができる。
【００４５】
Ｄ／Ａ変換器１０５は、バッファ１０３と第１アンプ１１１及び第２アンプ１１３との間に設けられている。Ｄ／Ａ変換器１０５は、バッファ１０３から出力された音信号をデジタル信号からアナログ信号に変換する。Ｄ／Ａ変換器１０５でアナログ信号に変換された音信号は、第１アンプ１１１及び第２アンプ１１３に出力される。
【００４６】
レベル判定部１０７は、音源１０１とスピーカ切替部３０９との間に設けられる。レベル判定部１０７は、音源１０１から出力される音信号を入力として、その音信号のレベルがある閾値以下であるか否かを判定する。そして、レベル判定部１０７は、その判定結果をスピーカ切替部３０９へ出力する。
【００４７】
第１アンプ１１１は、Ｄ／Ａ変換器１０５と第１スピーカ１１５との間に設けられている。同様に、第２アンプ１１３は、Ｄ／Ａ変換器１０５と第２スピーカ１１７との間に設けられている。なお、第１アンプ１１１、第２アンプ１１３への電力は図示しないが音出力装置１００の電源から供給される。
【００４８】
第１アンプ１１１は、後述するスピーカ切替部３０９の切替制御に基づき、ＯＮ／ＯＦＦの切り替え、およびゲイン［ｄＢ］の設定が実行される。つまり、スピーカ切替部３０９が第１アンプ１１１をＯＮにし、所定のゲインでＤ／Ａ変換器１０５から出力された音信号の電力を増幅する。そして、第１アンプ１１１により電力を増幅された音信号は、所定のゲインで第１スピーカ１１５に出力される。一方、スピーカ切替部３０９が第１アンプ１１１をＯＦＦにすると、第１アンプ１１１はＤ／Ａ変換器１０５から出力された音信号を第１スピーカ１１５へ出力しない。
【００４９】
なお、第１アンプ１１１には、たとえば、Ｃｌａｓｓ−ＡＢ、Ｃｌａｓｓ−Ｄのアンプが適用可能である。
【００５０】
第２アンプ１１３は、第１アンプ１１１と同様、後述するスピーカ切替部３０９の切替制御に基づき、ＯＮ／ＯＦＦの切り替え、およびゲイン［ｄＢ］の設定が実行される。つまり、スピーカ切替部３０９が第２アンプ１１３をＯＮにし、所定のゲインでＤ／Ａ変換器１０５から出力された音信号の電力を増幅する。そして、第２アンプ１１３により電力を増幅された音信号は、所定のゲインで第２スピーカ１１７に出力される。一方、スピーカ切替部３０９が第２アンプ１１３をＯＦＦにすると、第２アンプ１１３はＤ／Ａ変換器１０５から出力された音信号を第２スピーカ１１７へ出力しない。
【００５１】
なお、第２アンプ１１３には、たとえば、Ｃｌａｓｓ−ＡＢ、Ｃｌａｓｓ−Ｄのアンプが適用可能である。
【００５２】
第１スピーカ１１５は、第１アンプ１１１により電力を増幅された音信号を音に変換し外部へ出力する。また、第２スピーカ１１７は、第１スピーカ１１５と同様、第２アンプ１１３により電力を増幅された音信号を音に変換し外部へ出力する。
【００５３】
ここで、本実施の形態において、実施の形態１と同様、第１スピーカ１１５と第２スピーカ１１７とは、いずれか一方のスピーカから音が出力されたとしても、ユーザの受ける音の印象がほとんど変わらない程度しか離れていない位置に設けられている。そのため音出力装置３００は、特に小型の電子機器、例えば携帯電話機に好適である。
【００５４】
第１サーミスタ３０３Ａは、第１スピーカ１１５の温度Ｔ１を検出し、その検出結果を温度判定部３０１へ出力する。つまり、第１サーミスタ３０３Ａは、第１スピーカ１１５の温度検出部として機能する。第２サーミスタ３０３Ｂは、第２スピーカ１１７の温度Ｔ２を検出し、その検出結果を温度判定部３０１へ出力する。つまり、第２サーミスタ３０３Ｂは、第２スピーカ１１７の温度検出部として機能する。
【００５５】
温度判定部３０１は、スピーカ切替部３０９と、第１サーミスタ３０３Ａ及び第２サーミスタ３０３Ｂとの間に設けられる。温度判定部３０１は、第１サーミスタ３０３Ａの検出結果（第１スピーカ１１５の温度Ｔ１）と、第２サーミスタ３０３Ｂの検出結果（第２スピーカ１１７の温度Ｔ２）とを比較して、第１スピーカ１１５及び第２スピーカ１１７のうち、いずれのスピーカの温度が高いかを判定する。そして、温度判定部３０１は、その判定結果をスピーカ切替部３０９へ出力する。
【００５６】
スピーカ切替部３０９は、レベル判定部１０７の判定結果及び温度判定部３０１の判定結果に基づき、第１アンプ１１１及び第２アンプ１１３のＯＮ／ＯＦＦの切替、並びに第１アンプ１１１及び第２アンプ１１３のゲインの設定を行う。
【００５７】
図４を参照し、スピーカ切替部３０９の動作を説明する。図４に示すように、スピーカ切替部３０９は、レベル判定部１０７が音源１０１から出力される音信号のレベルがある閾値以下であると判定し、かつ、温度判定部３０１が温度Ｔ１より温度Ｔ２が高いと判定した場合には、第１アンプ１１１をＯＮにして、そのゲインを＋６［ｄＢ］に設定し、第２アンプ１１３をＯＦＦにする。
【００５８】
また、スピーカ切替部３０９は、レベル判定部１０７が音源１０１から出力される音信号のレベルがある閾値以下であると判定し、かつ、温度判定部３０１が温度Ｔ１が温度Ｔ２以上の温度であると判定した場合には、第２アンプ１１３をＯＮにして、そのゲインを＋６［ｄＢ］に設定し、第１アンプ１１１をＯＦＦにする。
【００５９】
さらに、スピーカ切替部３０９は、レベル判定部１０７が音源１０１から出力される音信号のレベルがある閾値より大きいと判定した場合には、温度判定部３０１の判定結果に依らず、第１アンプ１１１および第２アンプ１１３共にＯＮにし、そのゲインは０［ｄＢ］とする。
【００６０】
本実施の形態では、スピーカ切替部３０９の動作により、レベル判定部１０７が音源１０１から出力される音信号のレベルがある閾値以下であると判定し、かつ、温度判定部３０１が温度Ｔ２が温度Ｔ１より高いと判定した場合には、第１アンプ１１１をＯＮにして、そのゲインを＋６［ｄＢ］に設定し、第２アンプ１１３をＯＦＦにする。そのため、第２アンプ１１３に接続されている第２スピーカ１１７の鳴動による温度上昇を抑制することができる。
【００６１】
スピーカ切替部３０９の動作により、レベル判定部１０７が音源１０１から出力される音信号のレベルがある閾値以下であると判定し、かつ、温度判定部３０１が温度Ｔ１が温度Ｔ２以上であると判定した場合には、第２アンプ１１３をＯＮにして、そのゲインを＋６［ｄＢ］に設定し、第１アンプ１１１をＯＦＦにする。そのため、第１アンプ１１１に接続されている第１スピーカ１１５の鳴動による温度上昇を抑制することができる。
【００６２】
本実施の形態に係る音出力装置３００では、音を出力しない一方のスピーカの消費電力の低減、及び一方のスピーカの鳴動による温度上昇の抑制を可能とする。特に音源１０１から出力される音信号のレベルが小さい場合には、他のスピーカからしか音が出なくても、ユーザが受ける音の印象はほとんど変わらない。したがって、音出力装置３００は、ユーザの受ける音の印象をほとんど変えずに、いずれか一方のスピーカの消費電力の低減、及び一方スピーカの鳴動による温度上昇の抑制を可能とする。
【００６３】
また、本実施の形態に係る音出力装置３００では、スピーカの温度等のスピーカ周辺の状況によって、鳴動させるスピーカを切り替えることができる。なお、実施の形態１と同様、ユーザに届く音の音量が極端に小さくならないよう、ＯＮにするスピーカから出力する音信号をアンプで増幅している。
【００６４】
なお、音源１０１として、モノラル音源を例にとって説明したが、これに限らない。本実施の形態は、音源１０１がステレオ音源でも適用可能である。
【００６５】
また、本実施の形態に係る音出力装置３００では、一方のスピーカの温度が他のスピーカの温度より高い場合に、温度が低い方のスピーカから音声が出力されるよう切り替えているが、これに限られるものではない。例えば、一方のスピーカの温度が他方のスピーカの温度を上回った場合に即座に音声を出力するスピーカを切り替えるのではなく、温度差が所定値を上回った場合に切り替えるとしてもよい。このようにすれば、切り替えの発生する頻度が低下するので、スピーカ切替部３０９にて要する電力を削減することができる。
【００６６】
また、 本実施の形態に係る音出力装置３００では、全スピーカの温度がある閾値より大きい場合には、全スピーカを動作させるとしたが、これに限られるものではない。スピーカが３つ以上備えられている場合には、一部のスピーカの間のみで出力する音声を分散させるとしてもよい。
【００６７】
（実施の形態３）
図５〜図６を参照して、実施の形態３に係る音出力装置５００について説明する。図５は、実施の形態３の音出力装置５００の構成を示すブロック図である。図５に示すように、実施の形態３の音出力装置５００は、ステレオ音源５０１と、複数のバッファ１０３Ａ、１０３Ｂと、複数のＤ／Ａ変換器１０５Ａ、１０５Ｂと、モノラル混合器５１９と、スイッチ５２１（ＳＷ）と、第１アンプ１１１と、第２アンプ１１３と、第１スピーカ１１５と、第２スピーカ１１７と、第１サーミスタ３０３Ａと、第２サーミスタ３０３Ｂと、温度判定部３０１と、レベル判定部５０７と、スピーカ切替部５０９と、モード指定部５２３と、を備える。
【００６８】
実施の形態３の音出力装置５００が実施の形態１の音出力装置１００と異なる点は、スピーカ切替部５０９の切り替え制御に、モード指定部５２３によりモードの指定、レベル判定部５０７の判定結果、温度判定部３０１によるスピーカの温度判定結果、並びにモノラル混合器５１９及びスイッチ（ＳＷ）５２１によるチャネル制御を用いる点である。これらの点以外は実施の形態１と同様であり、図３において、図１と共通する構成要素には同じ参照符号が付されている。
【００６９】
ステレオ音源５０１から出力されたステレオ音源の２つの音信号は、２つの系統に分かれ、バッファ１０３Ａ、１０３Ｂで蓄積される。
【００７０】
バッファ１０３Ａ、１０３Ｂは、ステレオ音源５０１とＤ／Ａ変換器１０５Ａ、１０５Ｂとの間に設けられている。バッファ１０３Ａは、ステレオ音源５０１からの一方の音信号を入力とし、蓄積した音信号をＤ／Ａ変換器１０５Ａに順次出力する。バッファ１０３Ｂは、ステレオ音源５０１からの他方の音信号を入力とし、蓄積した音信号をＤ／Ａ変換器１０５Ｂに順次出力する。バッファ１０３Ａ、１０３Ｂはステレオ音源５０１からの２つの音信号を蓄積して、第１スピーカ１１５又は第２スピーカ１１７から音として出力するまでの時間を遅延させる。そのため、本実施の形態では、後述するレベル判定部５０７の判定、温度判定部３０１の判定、モード指定部５２３の指示、及びスピーカ切替部５０９の制御を行うための時間を確保することができる。
【００７１】
Ｄ／Ａ変換器１０５Ａは、バッファ１０３Ａとモノラル混合器５１９との間に設けられている。Ｄ／Ａ変換器１０５Ａは、バッファ１０３Ａから出力された一方の音信号をデジタル信号からアナログ信号に変換する。Ｄ／Ａ変換器１０５Ａでアナログ信号に変換された一方の音信号は、モノラル混合器５１９とスイッチ（ＳＷ）５２１のスイッチａの入力側端子ａｉｎへ出力される。
【００７２】
Ｄ／Ａ変換器１０５Ｂは、バッファ１０３Ｂとモノラル混合器５１９との間に設けられている。Ｄ／Ａ変換器１０５Ｂは、バッファ１０３Ｂから出力された他方の音信号をデジタル信号からアナログ信号に変換する。Ｄ／Ａ変換器１０５Ｂでアナログ信号に変換された他方の音信号は、モノラル混合器５１９とスイッチ（ＳＷ）５２１のスイッチｄの入力側端子ｄｉｎへ出力される。
【００７３】
モノラル混合器５１９は、Ｄ／Ａ変換器１０５Ａ及びＤ／Ａ変換器１０５Ｂで変換された２つの音信号を混合して、モノラル音源を生成する。そして、生成されたモノラル音源の音信号は、スイッチ（ＳＷ）５２１のスイッチｂ、ｃの入力側端子ｂｉｎ、Ｃｉｎへ出力される。
【００７４】
スイッチ（ＳＷ）５２１は、スイッチａ、スイッチｂ、スイッチｃ、スイッチｄから構成される。スイッチ（ＳＷ）５２１は、後述するスピーカ切替部５０９の切替制御に基づき、スイッチａ〜ｄの入力側端子ａｉｎ、ｂｉｎ、Ｃｉｎ、ｄｉｎと出力側端子ａout、ｂout、ｃout、ｄoutとを接続する。スイッチ（ＳＷ）５２１は機械式であっても、電磁界式であっても良い。 また、スイッチ（ＳＷ）５２１は、物理的に動作するスイッチに限らず、トランジスタ等で実現可能な電気回路上のスイッチであっても良い。
【００７５】
スイッチａの入力側端子ａｉｎは、Ｄ／Ａ変換器１０５Ａの出力側に接続され、スイッチａの出力側端子ａoutは、第１アンプ１１１の入力側に接続される。スイッチｂの入力側端子ｂｉｎは、モノラル混合器５１９の一方の出力側に接続され、スイッチｂの出力側端子ｂoutは、第１アンプ１１１の入力側に接続される。
【００７６】
スイッチｃの入力側端子ｃｉｎは、モノラル混合器５１９の他方の出力側に接続され、スイッチｃの出力側端子ｃoutは、第２アンプ１１３の入力側に接続される。スイッチｄの入力側端子ｄｉｎは、Ｄ／Ａ変換器１０５Ｂの出力側に接続され、スイッチｄの出力側端子ｄoutは、第２アンプ１１３の入力側に接続される。
【００７７】
モード指定部５２３は、スピーカ切替部５０９に接続する。モード指定部５２３は、モノラルモードでスピーカから音を外部へ出力するか、ステレオモードでスピーカから音を外部へ出力するかを指定し、スピーカ切替部５０９へ指示する。
【００７８】
レベル判定部５０７は、ステレオ音源５０１とスピーカ切替部５０９との間に設けられる。レベル判定部５０７は、ステレオ音源５０１から出力される音信号を入力として、その音信号のレベルがある閾値以下であるか否かを判定する。そして、レベル判定部５０７は、その判定結果をスピーカ切替部５０９へ出力する。
【００７９】
第１アンプ１１１は、スイッチ（ＳＷ）５２１と第１スピーカ１１５との間に設けられている。同様に、第２アンプ１１３は、スイッチ（ＳＷ）５２１と第２スピーカ１１７との間に設けられている。なお、第１アンプ１１１、第２アンプ１１３への電力は図示しないが音出力装置５００の電源から供給され、第１スピーカ１１５、第２スピーカ１１７の駆動源となる。
【００８０】
第１アンプ１１１は、後述するスピーカ切替部５０９の切替制御に基づき、ＯＮ／ＯＦＦの切り替え、およびゲイン［ｄＢ］の設定が実行される。つまり、スピーカ切替部５０９が第１アンプ１１１をＯＮにし、モノラル混合器５１９又はＤ／Ａ変換器１０５Ａから出力された音信号の電力を所定のゲインで増幅する。そして、第１アンプ１１１により電力を増幅された音信号は、所定のゲインで第１スピーカ１１５に出力される。一方、スピーカ切替部５０９が第１アンプ１１１をＯＦＦにすると、第１アンプ１１１は音信号を第１スピーカ１１５へ出力しない。なお、第１アンプ１１１には、たとえば、Ｃｌａｓｓ−ＡＢ、Ｃｌａｓｓ−Ｄのアンプが適用可能である。
【００８１】
第２アンプ１１３は、第１アンプ１１１と同様、後述するスピーカ切替部５０９の切替制御に基づき、ＯＮ／ＯＦＦの切り替え、およびゲイン［ｄＢ］の設定が実行される。つまり、スピーカ切替部５０９が第２アンプ１１３をＯＮにし、モノラル混合器５１９又はＤ／Ａ変換器１０５Ｂから出力された音信号の電力を所定のゲインで増幅する。そして、第２アンプ１１３により電力を増幅された音信号は、所定のゲインで第２スピーカ１１７に出力される。一方、スピーカ切替部５０９が、第２アンプ１１３をＯＦＦにすると、第２アンプ１１７は音信号を第２スピーカ１１７へ出力しない。なお、第２アンプ１１３には、たとえば、Ｃｌａｓｓ−ＡＢ、Ｃｌａｓｓ−Ｄのアンプが適用可能である。
【００８２】
第１スピーカ１１５は、第１アンプ１１１により電力を増幅された音信号を音に変換し外部へ出力する。また、第２スピーカ１１７は、第１スピーカ１１５と同様、第２アンプ１１３により電力を増幅された音信号を音に変換し外部へ出力する。
【００８３】
ここで、本実施の形態において、実施の形態１と同様、第１スピーカ１１５と第２スピーカ１１７とは、いずれか一方のスピーカから音が出力されたとしても、ユーザの受ける音の印象がほとんど変わらない程度しか離れていない位置に設けられている。そのため音出力装置５００は、特に小型の電子機器、例えば携帯電話機に好適である。
【００８４】
第１サーミスタ３０３Ａは、第１スピーカ１１５の温度Ｔ１を検出し、その検出結果を温度判定部３０１へ出力する。つまり、第１サーミスタ３０３Ａは、第１スピーカ１１５の温度検出部として機能する。第２サーミスタ３０３Ｂは、第２スピーカ１１７の温度Ｔ２を検出し、その検出結果を温度判定部３０１へ出力する。つまり、第２サーミスタ３０３Ｂは、第２スピーカ１１７の温度検出部として機能する。
【００８５】
温度判定部３０１は、スピーカ切替部５０９と、第１サーミスタ３０３Ａ及び第２サーミスタ３０３Ｂとの間に設けられる。温度判定部３０１は、第１サーミスタ３０３Ａの検出結果（第１スピーカ１１５の温度Ｔ１）と、第２サーミスタ３０３Ｂの検出結果（第２スピーカ１１７の温度Ｔ２）とを比較して、第１スピーカ１１５及び第２スピーカ１１７のうち、いずれのスピーカの温度が高いかを判定する。
【００８６】
スピーカ切替部５０９は、レベル判定部５０７の判定結果、温度判定部３０１の判定結果、及びモード指定部５２３の指示に基づき、スイッチ（ＳＷ）５２１を構成するスイッチａ〜ｄの接続切替、第１アンプ１１１及び第２アンプ１１３のＯＮ／ＯＦＦの切替、並びに第１アンプ１１１及び第２アンプ１１３のゲインの設定を行う。
【００８７】
（ステレオモード）
図６（ａ）、（ｂ）を参照し、スピーカ切替部５０９の動作を説明する。図６（ａ）に示すように、スピーカ切替部５０９は、レベル判定部５０７がステレオ音源５０１から出力される音信号のレベルがある閾値より大きいと判定し、モード指定部５２３からの指示が「ステレオモード」である場合、温度判定部３０１の判定結果に依らず、第１アンプ１１１および第２アンプ１１３共にＯＮにし、音信号のゲインを０［ｄＢ］とする（ステレオモード）。 このとき、図６（ｂ）に示すように、スピーカ切替部５０９は、スイッチ（ＳＷ）５２１のうち、スイッチａ及びスイッチｄの入出力側端子を接続状態（ＯＮ）にし、スイッチｂ、ｃの入出力側端子を接続しない状態（ＯＦＦ）に切り替え制御する。 
【００８８】
（モノラルモード：モードＡ）
図６（ａ）に示すように、スピーカ切替部５０９は、レベル判定部５０７がステレオ音源５０１から出力される音信号のレベルがある閾値より大きいと判定し、モード指定部５２３からの指示が「モノラルモード」である場合、温度判定部３０１の判定結果に依らず、第１アンプ１１１および第２アンプ１１３共にＯＮにし、音信号のゲインを０［ｄＢ］とする。このとき、図６（ｂ）に示すように、スピーカ切替部５０９は、スイッチ（ＳＷ）５２１のうち、スイッチｂ及びスイッチｃの入出力側端子を接続状態（ＯＮ）にし、スイッチａ、ｄの入出力側端子を接続しない状態（ＯＦＦ）に切り替え制御する（モノラルモード：モードＡ）。 
【００８９】
（モノラルモード：モードＢ）
図６（ａ）に示すように、スピーカ切替部５０９は、レベル判定部５０７がステレオ音源５０１から出力される音信号のレベルがある閾値以下であると判定し、モード指定部５２３からの指示が「モノラルモード」である場合、温度判定部３０１の判定結果により、第１アンプ１１１又は第２アンプ１１３のいずれか一方をＯＮにし、他方をＯＦＦにする。具体的には、スピーカ切替部５０９は、（１）レベル判定部５０７がステレオ音源５０１から出力される音信号のレベルがある閾値以下であると判定し、（２）モード指定部５２３からの指示が「モノラルモード」であって、（３）温度判定部３０１が温度Ｔ１より温度Ｔ２が高いと判定した場合には、第１アンプ１１１をＯＮにして、そのゲインを＋６［ｄＢ］に設定し、第２アンプ１１３をＯＦＦにする（「以下、モードＢという）。
【００９０】
図６（ｂ）に示すように、モードＢの場合、スピーカ切替部５０９は、スイッチ（ＳＷ）５２１のうち、スイッチａ、ｃ、ｄの入出力側端子を接続しない状態（ＯＦＦ）にし、スイッチｂの入出力側端子のみを接続状態（ＯＮ）に切り替え制御する。
【００９１】
（モノラルモード：モードＣ）
スピーカ切替部５０９は、（１）レベル判定部５０７がステレオ音源５０１から出力される音信号のレベルがある閾値以下であると判定し、（２）モード指定部５２３からの指示が「モノラルモード」であって、（４）温度判定部３０１が温度Ｔ１が温度Ｔ２以上であると判定した場合には、第２アンプ１１３をＯＮにして、そのゲインを＋６［ｄＢ］に設定し、第１アンプ１１１をＯＦＦにする（「以下、モードＣという）。図６（ｂ）に示すように、モードＣの場合、スピーカ切替部５０９は、スイッチ（ＳＷ）５２１のうち、スイッチａ、ｂ、ｄの入出力側端子を接続しない状態（ＯＦＦ）にし、スイッチｃの入出力側端子のみを接続状態（ＯＮ）に切り替え制御する。
【００９２】
本実施の形態に係る音出力装置５００では、音を出力しない一方のスピーカの消費電力の低減、及び一方のスピーカの鳴動による温度上昇の抑制を可能とする。特にステレオ音源５０１から出力される音信号のレベルが小さい場合には、他のスピーカからしか音が出なくても、ユーザが受ける音の印象はほとんど変わらない。したがって、音出力装置５００は、ユーザの受ける音の印象をほとんど変えずに、いずれか一方のスピーカの消費電力の低減、及びスピーカの鳴動による温度上昇の抑制を可能とする。
【００９３】
また、本実施の形態に係る音出力装置５００では、スピーカの温度等のスピーカ周辺の状況によって、鳴動させるスピーカを切り替えることができる。更には、本実施の形態に係る音出力装置５００では、ステレオ音源５０１をスピーカから鳴動させる場合でも、音声を正確に再現しつつ、消費電力を低減できる。ステレオ音源の場合、左側のスピーカ向けの音声と右側のスピーカ向けの音声が異なっている場合がある。このような場合、単純に一方のスピーカから音声が出力されないようにすると、そのスピーカから出力されるべき音声が出力されなくなってしまう。これに対し、本実施の形態に係る音出力装置５００では、ステレオ音声をモノラル化するため、一方のスピーカを停止した場合でも全ての音声が出力される。また、本実施の形態に係る音出力装置５００は、ステレオよりチャンネル数の多いマルチチャンネルに対しても適用可能である。
【００９４】
図７、図８を参照して、上記各実施の形態におけるスピーカの消費電力低減効果について説明する。図７では、上記各実施の形態における第１アンプ１１１、第２アンプ１１３にＣｌａｓｓ−ＡＢアンプを用いて本発明のスピーカ切替制御を行う場合の消費電流［ｍＡ］と、本発明のスピーカ切替制御を行わない場合の消費電流とを、入力音信号のレベルにより比較した図である。本発明のスピーカ切替制御を行う場合の消費電流の大きさ（図７中、実線）は、本発明のスピーカ切替制御を行なわない場合（図７中、破線）に比して、入力音信号のレベルによらず常に大きい。図７に示す特性では、たとえば７０［ｄＢＡ］程度の中音量で本発明のスピーカ切替制御を行うと、入力音信号のレベルの閾値は−１０［ｄＢＶ］となる。
【００９５】
図８では、上記各実施の形態における第１アンプ１１１、第２アンプ１１３にＣｌａｓｓ−Ｄアンプを用いて本発明のスピーカ切替制御を行う場合の消費電流［ｍＡ］と、本発明のスピーカ切替制御を行わない場合の消費電流とを、入力音信号のレベルにより比較した図である。本発明のスピーカ切替制御を行う場合の消費電流の大きさ（図８中、実線）は、本発明のスピーカ切替制御を行なわない場合（図８中、破線）に比して、入力音信号のレベルが−１５［ｄＢＶ］以下で常に大きい。図８に示す特性では、たとえば６０〜７０［ｄＢＡ］程度の中音量で本発明のスピーカ切替制御を行うと、入力音信号のレベルの閾値は−１５［ｄＢＶ］となる。
【００９６】
（実施の形態４）
図９および図１０を参照して本発明の電子機器の一実施の形態として、実施の形態１に係る音出力装置１００を備える携帯電話機１０について説明する。携帯電話機１０は、第２筐体である下筐体２０と、第１筐体である上筐体４０と、ヒンジ部５０とから構成される。図９及び図１０は携帯電話機１０の斜視図（１）、（２）である。
【００９７】
下筐体２０は、一方の面に、複数のキー２２から構成される操作部２１と、送話用 のマイク２５とを有する。また、下筐体２０は、上筐体４０に対してヒンジ部５０を介して、中心軸線Ｘを中心として開き角度αで相対的に回動する（図９参照）。中心軸線Ｘは、上筐体４０および下筐体２０の幅方向に略平行である。なお、下筐体２０内には、図示しないが携帯電話機１０の各種機能を制御する制御部が音出力装置１００と共に、基板上に設けられている。
【００９８】
通話用のマイク２５は、ユーザの音声が入力される。通話用のマイク２５から入力されたユーザの音声は、制御部により音声処理され、図示しない無線部を介して通話相手の携帯電話機等へ送信される。
【００９９】
上筐体４０は、一方の面に、表示部４１と、受話用 のレシーバ４３を有する。上筐体４０は、下筐体２０に対してヒンジ部５０を介して、中心軸線Ｘを中心として開き角度αで相対的に回動する（図９参照）。
【０１００】
ここで、上筐体４０の一方の面には、更に、第１スピーカ１１５及び第１スピーカ１１５用の第１スピーカ音孔１１５Ａ、並びに第２スピーカ１１７及び第２スピーカ１１７用の第２スピーカ音孔１１７Ａが設けられている（図１０参照）。音出力装置１００の第１スピーカ１１５から出力された音は、第１スピーカ音孔１１５Ａを通して、外部へ出力される。同様に、音出力装置１００の第２スピーカ１１７から出力された音は、第２スピーカ音孔１１７Ａを通して、外部へ出力される。音出力装置１００の第１スピーカ１１５、第２スピーカ１１７以外の構成は、例えば、携帯電話機１０の制御部が搭載された下筐体２０内の基板上に設けられる。
【０１０１】
特に携帯電話機１０では、第１スピーカ音孔１１５Ａ、及び第２スピーカ音孔１１７Ａが互いに近い位置に設けられている。そのため、例えば、出力音のレベルが小さい場合には、（１） 第１スピーカ音孔１１５Ａ、第２スピーカ音孔１１７Ａのうち、一方のスピーカ音孔からだけ音が外部へ出力される場合と、（２）第１スピーカ音孔１１５Ａと、第２スピーカ音孔１１７Ａとの両方のスピーカ音孔から音が外部へ出力される場合とで、ユーザが聴き取る音の印象に大きな違いがない。したがって、音出力装置１００による制御により、第１スピーカ音孔１１５Ａと、第２スピーカ音孔１１７Ａのうち、いずれか一方のスピーカ音孔からだけ音が外部へ出力されても、ユーザが聴き取る音の印象に大きな違いがない。
【０１０２】
したがって、本実施の形態でも、実施の形態１に係る音出力装置１００と同様の効果を得ることができる。つまり、本実施の形態において、特に音源レベルが小さい場合に一のスピーカ音孔からしか音が外部へ出力されなくても、携帯電話機１０のユーザが受ける音の印象はほとんど変わらず、一のスピーカ以外の複数のスピーカの消費電力の低減、一のスピーカ以外の複数のスピーカの鳴動による温度上昇を抑制できる。
【０１０３】
なお、本実施の形態において、携帯電話機１０は実施の形態１に係る音出力装置１００を備えるものとして説明したがこれに限らない。携帯電話機１０は、実施の形態１に係る音出力装置１００に代えて、実施の形態２に係る音出力装置３００又は実施の形態３に係る音出力装置５００を備えてもよい。これらの場合、実施の形態２に係る音出力装置３００により得られる効果又は実施の形態３に係る音出力装置５００により得られる効果を得ることができる。
【０１０４】
表示部４１は、液晶ディスプレイ（Ｌｉｑｕｉｄ  Ｃｒｙｓｔａｌ  Ｄｉｓｐｌａｙ：ＬＣＤ）で構成される。表示部４１では、その背面にタッチパネルが一体に設けられており、ユーザが表示部４１に表示されたオブジェクトを指で触れると、タッチパネルは、指の接触を検出し、オブジェクトに対応する機能が実行される。
【０１０５】
上筐体４０とヒンジ部５０とは、スイベルヒンジによって、中心軸線Ｙを中心として、回転角度βで相対的に回動自在に連結されている。また、下筐体２０とヒンジ部５０とは、下筐体２０および上筐体４０間における幅方向に延びる中心軸線Ｘを中心として、開き角度αで相対的に回動自在に連結されている。
【０１０６】
また、図１０に示すように、上筐体４０は、ヒンジ部５０と共に、下筐体２０に対して中心軸線Ｘを中心として開き角度αで相対的に回動自在であると共に、中心軸線Ｙを中心として、回転角度βで相対的に回動自在である。
る。
【０１０７】
（その他変形例）
上記各実施の形態では、携帯端末向けのスピーカ等を例として説明したが、これに限られるものではない。スピーカが近接している構造であれば、どのような電子機器にも適用することが可能である。
【０１０８】
上記各実施の形態では、音声を出力するチャンネルが２系統の場合を例として説明した。しかし、これに限られるものではない。チャンネルが３系統以上ある構造に対しても適用することが可能である。この場合、音源レベルが低い場合には、１チャンネルのみを動作させるとしてもよいし、近接しているチャンネル同士の間でのみ１つのチャンネルを選択して動作させるとしてもよい。
【０１０９】
上記各実施の形態では、温度を検知する手段としてサーミスタを用いていた。しかし、これに限られるものではない。温度を検知する手段としては、サーミスタと異なる方式で温度を検知する温度センサが数多く知られている。これらの温度センサをサーミスタに替えて利用しても良い。
【０１１０】
スピーカの配置は上記各実施の形態に記載したものには限られない。複数のスピーカが近接して配置されているのであれば、スピーカが電子機器のどこに配置されていても構わない。
【０１１１】
上記各実施の形態では、アンプでのゲインを０［ｄＢ］とする場合も、アンプをＯＮにして信号を通過させていた。しかし、これに限られるものではない。アンプでのゲインを０［ｄＢ］とする場合には、アンプを経由しない別の経路で信号を送り、アンプをＯＦＦにするとしてもよい。
【０１１２】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１４】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありうる。
【０１１５】
また、本実施形態の説明に用いた各機能ブロックの一部または全部は、それぞれ異なるチップとして実現したり、アンテナ等の集積化の難しい素子と 一体となって構成したりしてもよい。
【０１１６】
また、上述した実施形態および変形例を組み合わせても良い。
【産業上の利用可能性】
【０１１７】
本発明に係る電子機器は、鳴動スピーカを音源レベルに応じて動的に切り替えて、スピーカ駆動用アンプの消費電力を低減できるという効果を有し、携帯電話機等として有用である。
【符号の説明】
【０１１８】
１０  携帯電話機
１００、３００、５００  音出力装置
１０１、５０１  音源
１０３、１０３Ａ、１０３Ｂ  バッファ
１０５、１０５Ａ、１０５Ｂ  Ｄ／Ａ変換器
１０７、５０７  レベル判定部
１０９、３０９、５０９  スピーカ切替部
１１１  第１アンプ
１１３  第２アンプ
１１５  第１スピーカ
１１５Ａ  第１スピーカ音孔
１１７  第２スピーカ
１１７Ａ  第２スピーカ音孔
３０１  温度判定部
３０３Ａ  第１サーミスタ
３０３Ｂ  第２サーミスタ
５０１  ステレオ音源
５１９  モノラル混合器
５２１  スイッチ（ＳＷ）
５２３  モード指定部
【図１】
2012129952.tif 000003
【図２】
2012129952.tif 000004
【図３】
2012129952.tif 000005
【図４】
2012129952.tif 000006
【図５】
2012129952.tif 000007
【図６】
2012129952.tif 000008
【図７】
2012129952.tif 000009
【図８】
2012129952.tif 000010
【図９】
2012129952.tif 000011
【図１０】
2012129952.tif 000012